(57)【要約】【課題】左右の側壁板に対して開く方向に所定値以上の応力が加わっても側壁板の折曲部以外に応力を分散してその側壁板の破損を防止できる紙製包装箱を提供する。【解決手段】平面形状が長形状の底板２と、底板２に隣接して形成される左右および前後の側壁板３，４および５，６と、左右の側壁板３，４の両端縁に各々前後の側壁板５，６の内側に沿うように折り曲げ可能に連設された第１および第２の保持片７，８および９，１０と、前側の側壁板５の上端に連設され第１の保持片７，８を挟むように前側の側壁板５内側に折り曲げ可能な折込片１１と、後側の側壁板６の上端に連設された上蓋片１２と、上蓋片１２の先端に連設され折込片１１の内側に差し込まれる差込片１３とを備え、左右の側壁板３，４に対して開く方向に所定値以上の応力が加わった際に、左右の側壁板３，４が破損することなく外側に開くように構成した。【選択図】図２
2008050025.tif 000002
【特許請求の範囲】
【請求項１】
平面形状が方形状の底板と、この底板に隣接して形成される左右および前後の側壁板と、左右の側壁板の両端縁に各々前後の側壁板の内側に沿うように折り曲げ可能に連設された第１および第２の保持片と、前後の側壁板の何れか一方の側壁板の上端に連設され第１の保持片を挟むように側壁板内側に折り曲げ可能な折込片と、前後の側壁板の他方の側壁板の上端に連設された上蓋片と、この上蓋片の先端に連設され前記折込片の内側に差し込まれる差込片と、前記左右の側壁板の上端に連設されたフラップとを備え、
前記前後の側壁板の何れか一方の側壁板と折込片とで挟み込まれる第１の保持片の上端には一方の側壁板と折込片とによって形成される折曲部内側に当接する上向きの突起を備え、
前記上蓋片が連設された他方の側壁板の内側に位置するように折り曲げられる第２の保持片の先端には、先端同士が互いに離れる方向に遊びを持って連結される係合部を備え、
前記第１の保持片は、上蓋片が閉じられた封緘状態において、正常状態では前記突起の先端が前記一方の側壁板と折込片とによって形成される折曲部内側に当接して左右の側壁板を底板に対してほぼ直角な起立状態に規制し、左右の側壁板に対して開く方向に所定値以上の応力が加わった際に前記突起が先端より応力変形して左右の側壁板が外側に開く状態になるように構成され、
前記第２の保持片は、その上縁に、左右の側壁板との連設部より一定寸法の水平部と、この水平部に連続する傾斜部を備え、先端の係合部の上下幅が側壁板の上下幅より狭小となるように形成され、上蓋片が閉じられた封緘状態において、左右の側壁板に対して開く方向に所定値以上の応力が加わった際に、前記水平部と傾斜部の境界部が応力変形して先端の係合部が上蓋片側に変位することにより左右の側壁板が外側に開く状態になるように構成されていることを特徴とする紙製包装箱。
【請求項２】
紙製包装箱の材料は、古紙を使用した段ボールであることを特徴とする請求項１記載の紙製包装箱。
【請求項３】
第１の保持片の突起の向きが段ボールの段目方向に対して直角となるように構成したことを特徴とする請求項２記載の紙製包装箱。
【請求項４】
第２の保持片の水平部が段ボールの段目方向となるように構成したことを特徴とする請求項３記載の紙製包装箱。
【請求項５】
左右の側壁板の両端縁に連設された第１および第２の保持片は、左右の側壁板に対する折曲部において段ボールの段目方向が折曲線に対して直角となるように構成したことを特徴とする請求項２〜４までの何れか１項記載の紙製包装箱。
【請求項６】
平面形状が方形状の底板と、この底板に隣接して形成される左右および前後の側壁板と、左右の側壁板の両端縁に各々前後の側壁板の内側に沿うように折り曲げ可能に連設された第１および第２の保持片と、前後の側壁板の何れか一方の側壁板の上端に連設され第１の保持片を挟むように側壁板内側に折り曲げ可能な折込片と、前後の側壁板の他方の側壁板の上端に連設された上蓋片と、この上蓋片の先端に連設され前記折込片の内側に差し込まれる差込片と、前記左右の側壁板の上端に連設されたフラップとを備え、
前記前後の側壁板の内側に沿うように折り曲げられる第１および第２の保持片の先端には、それぞれ先端同士が互いに離れる方向に遊びを持って連結される係合部を備え、
前記第１および第２の保持片は、その上縁に、左右の側壁板との連設部より一定寸法の水平部と、この水平部に連続する傾斜部を備え、先端の係合部の上下幅が側壁板の上下幅より狭小となるように形成され、上蓋片が閉じられた封緘状態において、左右の側壁板に対して開く方向に所定値以上の応力が加わった際に、前記水平部と傾斜部の境界部が応力変形して先端の係合部が上蓋片側に変位することにより左右の側壁板が外側に開く状態になるように構成されていることを特徴とする紙製包装箱。
【請求項７】
紙製包装箱の材料は、古紙を使用した段ボールであることを特徴とする請求項５記載の紙製包装箱。
【請求項８】
第１および第２の保持片の水平部が段ボールの段目方向となるように構成したことを特徴とする請求項６記載の紙製包装箱。
【請求項９】
左右の側壁板の両端縁に連設された第１および第２の保持片は、左右の側壁板に対する折曲部において段ボールの段目方向が折曲線に対して直角となるように構成したことを特徴とする請求項７または８記載の紙製包装箱。
【発明の詳細な説明】
【技術分野】
【０００１】
本発明は例えばデジタルカメラなどの被包装物を収納する紙製包装箱に関するものである。
【背景技術】
【０００２】
従来、包装箱として、特許文献１に開示されるような折り返しフラップに噛み合わせ構造を備えたものが知られている。
この特許文献１に開示されている包装箱では、折り返しフラップに噛み合わせ構造を備えているので、側面に内部から衝撃が加わった場合に、包装箱の変形が最小限となり、衝撃による破損を防止できるという効果が得られる。
【０００３】
このように包装箱そのものの破損を防止するべく如何に補強するかの観点のほか、破損を防止するため衝撃を分散することにより破損を防止するという観点のものなど、種々の提案がなされている。一方、包装箱に対して、容積率を小さくするための小型化、コストダウンのための軽量化、環境保全のためのリサイクル化の要請があり、シート材として古紙を使用した段ボールを採用されるようになっている。
【特許文献１】特開平１１−３０１６３４号公報
【発明の開示】
【発明が解決しようとする課題】
【０００４】
上記のように古紙を使用した段ボールは破損しやすく、裂けやすいという問題があり、特に小型の被包装物を包装するために軽量化しようとした場合、薄いシート材を使用すると、前述の特許文献１に記載の構成の包装箱にあっては、側面への応力が加わると隣り合う側面間の折曲部において裂けやすくなるという問題があった。
【０００５】
本発明の目的は、このような課題を解決するものであり、古紙を使用した段ボールにより小型の包装箱を作っても、組み立てが簡単でありながら側壁板の起立保持を容易に行なえ、また左右の側壁板に対して開く方向に所定値以上の応力が加わっても側壁板の折曲部以外に応力を分散してその側壁板の破損を防止できる紙製包装箱を提供することにある。
【課題を解決するための手段】
【０００６】
本発明の請求項１に記載の紙製包装箱は、平面形状が方形状の底板と、この底板に隣接して形成される左右および前後の側壁板と、左右の側壁板の両端縁に各々前後の側壁板の内側に沿うように折り曲げ可能に連設された第１および第２の保持片と、前後の側壁板の何れか一方の側壁板の上端に連設され第１の保持片を挟むように側壁板内側に折り曲げ可能な折込片と、前後の側壁板の他方の側壁板の上端に連設された上蓋片と、この上蓋片の先端に連設され前記折込片の内側に差し込まれる差込片と、前記左右の側壁板の上端に連設されたフラップとを備え、前記前後の側壁板の何れか一方の側壁板と折込片とで挟み込まれる第１の保持片の上端には一方の側壁板と折込片とによって形成される折曲部内側に当接する上向きの突起を備え、前記上蓋片が連設された他方の側壁板の内側に位置するように折り曲げられる第２の保持片の先端には、先端同士が互いに離れる方向に遊びを持って連結される係合部を備え、前記第１の保持片は、上蓋片が閉じられた封緘状態において、正常状態では前記突起の先端が前記一方の側壁板と折込片とによって形成される折曲部内側に当接して左右の側壁板を底板に対してほぼ直角な起立状態に規制し、左右の側壁板に対して開く方向に所定値以上の応力が加わった際に前記突起が先端より応力変形して左右の側壁板が外側に開く状態になるように構成され、前記第２の保持片は、その上縁に、左右の側壁板との連設部より一定寸法の水平部と、この水平部に連続する傾斜部を備え、先端の係合部の上下幅が側壁板の上下幅より狭小となるように形成され、上蓋片が閉じられた封緘状態において、左右の側壁板に対して開く方向に所定値以上の応力が加わった際に、前記水平部と傾斜部の境界部が変位して先端の係合部が上蓋片側に変位することにより左右の側壁板が外側に開く状態になるように構成されていることを特徴とする。
【０００７】
本発明の請求項２に記載の紙製包装箱は、紙製包装箱の材料は、古紙を使用した段ボールであることを特徴とする。
本発明の請求項３に記載の紙製包装箱は、第１の保持片の突起の向きが段ボールの段目方向に対して直角となるように構成したことを特徴とする。
【０００８】
本発明の請求項４に記載の紙製包装箱は、第２の保持片の水平部が段ボールの段目方向となるように構成したことを特徴とする。
本発明の請求項５に記載の紙製包装箱は、左右の側壁板の両端縁に連設された第１および第２の保持片は、左右の側壁板に対する折曲部において段ボールの段目方向が折曲線に対して直角となるように構成したことを特徴とする。
【０００９】
本発明の請求項６に記載の紙製包装箱は、平面形状が方形状の底板と、この底板に隣接して形成される左右および前後の側壁板と、左右の側壁板の両端縁に各々前後の側壁板の内側に沿うように折り曲げ可能に連設された第１および第２の保持片と、前後の側壁板の何れか一方の側壁板の上端に連設され第１の保持片を挟むように側壁板内側に折り曲げ可能な折込片と、前後の側壁板の他方の側壁板の上端に連設された上蓋片と、この上蓋片の先端に連設され前記折込片の内側に差し込まれる差込片と、前記左右の側壁板の上端に連設されたフラップとを備え、前記前後の側壁板の内側に沿うように折り曲げられる第１および第２の保持片の先端には、それぞれ先端同士が互いに離れる方向に遊びを持って連結される係合部を備え、前記第１および第２の保持片は、その上縁に、左右の側壁板との連設部より一定寸法の水平部と、この水平部に連続する傾斜部を備え、先端の係合部の上下幅が側壁板の上下幅より狭小となるように形成され、上蓋片が閉じられた封緘状態において、左右の側壁板に対して開く方向に所定値以上の応力が加わった際に、前記水平部と傾斜部の境界部が変位して先端の係合部が上蓋片側に変位することにより左右の側壁板が外側に開く状態になるように構成されていることを特徴とする。
【００１０】
本発明の請求項７に記載の紙製包装箱は、紙製包装箱の材料は、古紙を使用した段ボールであることを特徴とする。
本発明の請求項８に記載の紙製包装箱は、第１および第２の保持片の水平部が段ボールの段目方向となるように構成したことを特徴とする。
【００１１】
本発明の請求項９に記載の紙製包装箱は、左右の側壁板の両端縁に連設された第１および第２の保持片は、左右の側壁板に対する折曲部において段ボールの段目方向が折曲線に対して直角となるように構成したことを特徴とする。
【発明の効果】
【００１２】
以上のように、本発明の請求項１に記載の紙製包装箱によれば、封緘具や接着剤などを必要とせず折り曲げのみで箱の組み立てができ、構成が簡素化された組み立て容易な紙製包装箱を提供できる。特に保持片により側壁板の起立保持を確実に行なえ、厚みの薄い段ボールで作られた小型の包装箱であっても強度を持たせることができる。詳しくは、左右の側壁板に対して開く方向に所定値以上の応力が加わった際に第１の保持片の突起が先端より応力変形して左右の側壁板が外側に開き、また第２の保持片は水平部と傾斜部の境界部が変位して先端の係合部が上蓋片側に変位することにより左右の側壁板が外側に開いて左右の側壁板に加わる応力を分散させ、側壁板の破損を防止できる。
【００１３】
本発明の請求項２に記載の紙製包装箱によれば、紙製包装箱の材料が古紙を使用した段ボールであっても包装箱の強度を維持でき、リサイクル対応の紙製包装箱を提供できる。
本発明の請求項３に記載の紙製包装箱によれば、第１の保持片の突起の向きを段ボールの段目方向に対して直角となるように構成したことにより、突起が応力変形しやすくなる。
【００１４】
本発明の請求項４に記載の紙製包装箱によれば、第２の保持片の水平部が段ボールの段目方向となるように構成したことにより、上縁の水平部と傾斜部の境界部が応力変形しやすくなる。
【００１５】
本発明の請求項５に記載の紙製包装箱によれば、左右の側壁板の両端縁に連設された第１および第２の保持片は、左右の側壁板に対する折曲部において段ボールの段目方向が折曲線に対して直角となるように構成したことにより、左右の側壁板の両端縁の曲げ部の応力に対する強度を保持できる。
【００１６】
本発明の請求項６に記載の紙製包装箱によれば、請求項１に記載の紙製包装箱と同様、封緘具や接着剤などを必要とせず折り曲げのみで箱の組み立てができ、構成が簡素化された組み立て容易な紙製包装箱を提供できる。特に保持片により側壁板の起立保持を確実に行なえ、厚みの薄い段ボールで作られた小型の包装箱であっても強度を持たせることができる。詳しくは、左右の側壁板に対して開く方向に所定値以上の応力が加わった際に第１の保持片および第２の保持片は水平部と傾斜部の境界部が変位して先端の係合部が上蓋片側に変位することにより左右の側壁板が外側に開いて左右の側壁板に加わる応力を分散させ、側壁板の破損を防止できる。
【００１７】
本発明の請求項７に記載の紙製包装箱によれば、請求項２に記載の紙製包装箱と同様、紙製包装箱の材料が古紙を使用した段ボールであっても包装箱の強度を維持でき、リサイクル対応の紙製包装箱を提供できる。
【００１８】
本発明の請求項８に記載の紙製包装箱によれば、請求項４に記載の紙製包装箱と同様、第１および第２の保持片の水平部が段ボールの段目方向となるように構成したことにより、上縁の水平部と傾斜部の境界部が応力変形しやすくなる。
【００１９】
本発明の請求項９に記載の紙製包装箱によれば、請求項５に記載の紙製包装箱と同様、左右の側壁板の両端縁に連設された第１および第２の保持片は、左右の側壁板に対する折曲部において段ボールの段目方向が折曲線に対して直角となるように構成したことにより、左右の側壁板の両端縁の曲げ部の応力に対する強度を保持できる。
【発明を実施するための最良の形態】
【００２０】
以下、本発明の一実施の形態について、図面（図１〜図１０）に基づいて説明する。
図において、１は例えば古紙を使用した段ボールなどの厚紙を材料に用いて作られ例えばデジタルカメラなどの小型の被包装物（図示せず）を収納する紙製包装箱であり、この紙製包装箱１は平面形状が長形状の底板２と、この底板２の短辺側に隣接して形成される左右の側壁板３，４と、底板２の長辺側に隣接して形成される前後の側壁板５，６と、左右の側壁板３，４の両端縁に各々前後の側壁板５，６の内側に沿うように折り曲げ可能に連設された第１の保持片７，８および第２の保持片９，１０と、前後の側壁板５，６の何れか一方の側壁板（図面に示す実施の形態では前側の側壁板５）の上端に連設され第１の保持片７，８を挟むように前側の側壁板５内側に折り曲げ可能な折込片１１と、前後の側壁板の他方の側壁板（図面に示す実施の形態では後側の側壁板６）の上端に連設された上蓋片１２と、この上蓋片１２の先端に連設され前記折込片１１の内側に差し込まれる差込片１３と、前記左右の側壁板３，４の上端に連設されたフラップ１４，１５とを備えている。前記折込片１１の先端には前側の側壁板５内側に折り込まれた状態において底板２に形成されている係止孔２ａに嵌り込む係止片１１ａを備えている。
【００２１】
また、前記前側の側壁板５と折込片１１とで挟み込まれる第１の保持片７，８の先端部における上端には前側の側壁板５と折込片１１とによって形成される折曲部内側に当接する上向きの突起７ａ，８ａを備え、前記上蓋片１２が連設された後側の側壁板６の内側に位置するように折り曲げられる第２の保持片９，１０の先端には、先端同士が互いに離れる方向に遊びを持って連結される係合部９ａ，１０ａを備えている。
【００２２】
前記第１の保持片７，８は、上蓋片１２が閉じられた封緘状態において、正常状態では前記突起７ａ，８ａの先端が前記前側の側壁板５と折込片１１とによって形成される折曲部内側に当接して左右の側壁板３，４を底板２に対してほぼ直角な起立状態に規制し、左右の側壁板３，４に対して開く方向に所定値以上の応力が加わった際に前記突起７ａ，８ａが先端より応力変形して左右の側壁板３，４が外側に開く状態（図９参照）になるように構成されている。なお、第１の保持片７，８の突起７ａ，８ａの向きが段ボールの段目方向Ａに対して直角となるように構成されている。
【００２３】
また、前記第２の保持片９，１０は、その上縁に、左右の側壁板３，４との連設部より一定寸法の水平部９ｂ，１０ｂと、この水平部９ｂ，１０ｂに連続する傾斜部９ｃ，１０ｃを備え、先端の係合部９ａ，１０ａの上下幅が側壁板３，４，５，６の上下幅より狭小となるように形成されている。ここで、前述した係合部９ａ，１０ａの係合に遊びを持たせる構成として、係合部９ａ，１０ａが嵌合される切欠部９ｄ，１０ｄが形成されている。そして、上蓋片１２が閉じられた封緘状態において、左右の側壁板３，４に対して開く方向に所定値以上の応力が加わった際に、前記水平部９ｂ，１０ｂと傾斜部９ｃ，１０ｃの境界部が応力変形して先端の係合部９ａ，１０ａが切欠部９ｄ，１０ｄによる遊びの範囲で上蓋片１２側に変位することにより左右の側壁板３，４が外側に開く状態（図１０参照）になるように構成されている。なお、第２の保持片９，１０の水平部９ｂ，１０ｂが段ボールの段目方向Ａとなるように構成されている。
【００２４】
さらに、左右の側壁板３，４の両端縁に連設された第１および第２の保持片７，８および９，１０は、左右の側壁板３，４に対する折曲部において段ボールの段目方向Ａが折曲線に対して直角となるように構成されている。
【００２５】
なお、前記上蓋片１２と差込片１３との連設線上には中央に係止孔１６が形成されており、左右の側壁板３，４の上端に連設されたフラップ１４，１５を水平に閉じ、差込片１３を前記折込片１１の内側に差し込んだ状態において前側の側壁板５と折込片１１とに跨って形成された係止片１７を係止孔１６に差し込んで紙製包装箱１の封緘が完了するようになっている。
【００２６】
上記構成において、正常状態では前記第１の保持片７，８の突起７ａ，８ａの先端が前記前側の側壁板５と折込片１１とによって形成される折曲部内側に当接して左右の側壁板３，４を底板２に対してほぼ直角な起立状態に規制されているが、左右の側壁板３，４に対して開く方向に所定値以上の応力が加わった際に前記突起７ａ，８ａが前側の側壁板５と折込片１１とによって形成される折曲部内側に強く当接して先端より応力変形し、その結果図９に示すように左右の側壁板３，４が外側に開くようになる。また、同時に第２の保持片９，１０においては、左右の側壁板３，４に対して開く方向に所定値以上の応力が加わった際に、前記水平部９ｂ，１０ｂと傾斜部９ｃ，１０ｃの境界部が変位して先端の係合部９ａ，１０ａが上蓋片１２側に変位することにより図１０に示すように左右の側壁板３，４が外側に開くようになる。
【００２７】
さらに、第１の保持片７，８の突起７ａ，８ａの向きを段ボールの段目方向Ａに対して直角となるように構成することにより、突起７ａ，８ａが応力変形しやすくなり、左右の側壁板３，４の開きがよりスムーズとなる。
また、第２の保持片９，１０の水平部９ｂ，１０ｂが段ボールの段目方向Ａとなるように構成することにより、水平部９ｂ，１０ｂと傾斜部９ｃ，１０ｃの境界部が応力変形しやすくなり、左右の側壁板３，４の開きがよりスムーズとなる。
【００２８】
また、左右の側壁板３，４の両端縁に連設された第１および第２の保持片７，８および９，１０を、左右の側壁板３，４に対する折曲部において段ボールの段目方向Ａが折曲線に対して直角となるように構成することにより、左右の側壁板３，４の両端縁の曲げ部の応力に対する強度を保持できる。
【００２９】
また、紙製包装箱１が古紙を使用した段ボールなどの厚紙を材料に用いて作られていても、上記のような第１および第２の保持片７，８および９，１０を備えることにより、包装箱の強度を維持でき、リサイクル対応の紙製包装箱１を提供できる。
【００３０】
以上図面に示す実施の形態について述べたが、底板２つまり紙製包装箱１は平面形状が長形状でなくても良く、正方形であっても良い。また、前記第１の保持片７，８の構成として、第２の保持片９，１０と同じ構成を採用することも可能である。
【図面の簡単な説明】
【００３１】
【図１】本発明の一実施の形態における紙製包装箱の展開図である。
【図２】同紙製包装箱の組み立て途中の状態を後方から見た斜視図である。
【図３】同紙製包装箱の組み立て完成直前の状態を後方から見た斜視図である。
【図４】同紙製包装箱の組み立て完成状態を前方から見た斜視図である。
【図５】同紙製包装箱の組み立て完成状態を示す平面図である。
【図６】図５のＸ−Ｘ矢視図である。
【図７】図５のＹ−Ｙ矢視図である。
【図８】図５のＺ−Ｚ矢視図である。
【図９】同紙製包装箱の左右の側壁板に対して開く方向に応力が加わって左右の側壁板が外側に開く状態を図５のＹ−Ｙ方向から見た断面図である。
【図１０】同紙製包装箱の左右の側壁板に対して開く方向に応力が加わって左右の側壁板が外側に開く状態を図５のＺ−Ｚ方向から見た断面図である。
【符号の説明】
【００３２】
１              紙製包装箱
２              底板
３，４          側壁板
５，６          側壁板
７，８          第１の保持片
７ａ，８ａ      突起
９，１０        第２の保持片
９ａ，１０ａ    係合部
９ｂ，１０ｂ    水平部
９ｃ，１０ｃ    傾斜部
９ｄ，１０ｄ    切欠部
１１              折込片
１２              上蓋片
１３              差込片
１４，１５        フラップ
【図１】
2008050025.tif 000003
【図２】
2008050025.tif 000004
【図３】
2008050025.tif 000005
【図４】
2008050025.tif 000006
【図５】
2008050025.tif 000007
【図６】
2008050025.tif 000008
【図７】
2008050025.tif 000009
【図８】
2008050025.tif 000010
【図９】
2008050025.tif 000011
【図１０】
2008050025.tif 000012